(57)【要約】【課題】鉄道模型用車両において、車輪に付着している異物を、容易かつ確実に取り除き得るようにする。【解決手段】鉄道模型用車両の車輪に付着している異物を取り除くための清掃装置であって、車両を押し付けて移動させることによりそのを回転させ、車輪を全周に亘って清掃するために用意された、擦り付け清掃部１６を本体に具備し、車両を押し付けて移動させても回転させることができないか或いは回転し難い動力車輪１２を清掃するために、動力車輪を接触させて通電状態として回転させる通電用接点部２５を、電力を車両に取り入れる通電車輪の位置に合わせて上記本体に具備する。【選択図】          図１
2008188179.tif 000002
【特許請求の範囲】
【請求項１】
鉄道模型用車両の車輪に付着している異物を取り除くための清掃装置であって、
車両を押し付けて移動させることによりその車輪を回転させ、車輪を全周に亘って清掃するために用意された、擦り付け清掃部を本体に具備するとともに、
車両を押し付けて移動させても回転させることができないか或いは回転し難い動力車輪を清掃するために、動力車輪を通電状態として回転させる通電用接点部を、電力を車両に取り入れる通電車輪の位置に合わせて上記本体に具備していることを特徴とする鉄道模型用車両の車輪の清掃装置。
【請求項２】
擦り付け清掃部は、弾力性材料ないしブラシ状構造を有する材料より成る請求項１記載の鉄道模型用車両の車輪の清掃装置。
【請求項３】
擦り付け清掃部は、スポンジ基材を、植毛状表面を有するシート状材によって覆った構造
を有している請求項１記載の鉄道模型用車両の車輪の清掃装置。
【請求項４】
通電車輪を通電用接点部に接触させた状態において、通電により回転している他の動力車輪を擦り付け清掃部に接触させることができる位置関係をもって、擦り付け清掃部と通電用接点部を上記本体に配置した請求項１記載の鉄道模型用車両の車輪の清掃装置。
【請求項５】
通電用接点部は、一対の細長い形態の接点板を有し、擦り付け清掃部の長手方向の端部に接点板の長手方向を一致させた状態で配置されている請求項１記載の鉄道模型用車両の車輪の清掃装置。
【発明の詳細な説明】
【技術分野】
【０００１】
本発明は、鉄道模型用車両の車輪に付着している異物を取り除くための清掃装置に関するものである。
【背景技術】
【０００２】
鉄道模型においては、通電部分の汚れの進行により、様々な問題を生じることがある。例えば車両については走行性能のスムーズさが失われるとか、加速、減速、停止などの制御の確実性の損なわれることがあり、前照灯等の灯火にあっては点灯状態にちらつきを生じ、音響効果を伴う鉄道模型の場合には雑音が入ってしまう、というように、作動上の不具合を生じる。また、ＤＣＣなどと称して、ディジタル信号により運行を制御する方式を取るものではさらに汚れの影響を受けやすいものとなる。
【０００３】
このため、線路や、車輪などを電気的に清浄な状態に保っておくことが、模型鉄道の円滑な運行には不可欠である。ＨＯゲージやそれ以上の大きさの模型の場合には、非能率ではあるが手で清掃作業を行なうことも可能である。しかし、ＮゲージやＺゲージなど、特に小型の模型ほど清掃作業は困難になる。
【０００４】
これに対して、特開２００１−９１７２号の発明では、鉄道模型用車両が走行するレールのクリーニングを行なう装置において、走行車輪と交換して、クリーニング部を有するクリーニングヘッドを車両に取り付け、レールを清掃する装置を開示している。しかし、これでは車輪自体の汚れを除去することはできない。車輪については、特開２００２−２８３７９号の発明がフッ素系樹脂を含有するメッキ層をレールと接触する領域に設ける技術を開示しているが、しかし、一般の車輪に清掃には役立たない。さらに、実用新案登録第３０６７０７８号の考案は、通電する布を利用して車両に通電を行い、空転する車輪を通電する布で研磨する車輪磨き器を開示している。
【０００５】
【特許文献１】特開２００１−９１７２号
【特許文献２】特開２００２−２８３７９号
【特許文献３】実用新案登録第３０６７０７８号
【発明の開示】
【発明が解決しようとする課題】
【０００６】
本発明は前記の点に着目してなされたものであり、その課題は、鉄道模型用車両において、車輪に付着している異物を、容易かつ確実に取り除き得るようにすることである。また本発明の他の課題は、特に、外力では動かしにくい動力車輪の清掃を行えるようにすることである。また本発明の他の課題は、扱い易く効果の確実な鉄道模型用車両の車輪の清掃装置を提供することである。
【課題を解決するための手段】
【０００７】
前記の課題を解決するため、本発明は、鉄道模型用車両の車輪に付着している異物を取り除く清掃装置として、車両を押し付けて移動させることによりその車輪を回転させ、車輪を全周に亘って清掃するために用意された、擦り付け清掃部を本体に具備するとともに、車両を押し付けて移動させても回転させることができないか或いは回転し難い動力車輪を清掃するために、動力車輪を通電状態として回転させる通電用接点部を、電力を車両に取り入れる通電車輪の位置に合わせて上記本体に具備するという手段を講じたものである（請求項１記載の発明）。
【０００８】
本発明の対象とする、鉄道模型用車両の車輪は、電力駆動の模型鉄道では、レールを通じて供給される電力を車両に取り入れる電気接点の一つであり、電力の授受とそれに伴う電気スパークその他を原因とする汚れの付着が不可避である。従って、通電車輪など電気回路の一部を構成する車輪が汚れることは当然であるが、それ以外の車輪にも汚れは付着する。
【０００９】
しかし、空転する車輪の清掃は比較的容易であるのに対して、外力によって回転させることができないか或いは困難な動力車輪の清掃は中々難しいことである。そこで、空転する車輪とともに、空転しにくい動力車輪も清掃できるようにすることが、本発明の一つの目的となり、これを容易に清掃できるようにした点に本発明の一つの特徴がある。
【００１０】
本発明に係る装置を構成する擦り付け清掃部は、車両を押し付けて移動させることによりその車輪を回転させ、車輪を全周に亘って清掃するために用意されたもので、本体に具備する。故に、擦り付け清掃部は、自由に回転可能な車輪の清掃にも向いている。この擦り付け清掃部は、弾力性材料ないしブラシ状構造を有する材料より成るものであることが望ましい。弾力性により、車輪の踏み面とフランジ部、それに表面と裏面の縁の汚れを、一時に擦り取ることができる（請求項２記載の発明）。弾力性材料としては、例えばスポンジ類が含まれる。また、上記の擦り付け清掃部には、洗浄液を含浸させることも可能である。
【００１１】
擦り付け清掃部として、スポンジ基材を、植毛状表面を有するシート状材によって覆った構造を有しているものは一つの好ましい例である（請求項３記載の発明）。ブラシ状構造を有する材料より成るものも、車輪を押し付けることによって、車輪の踏み面とフランジ部、それに表面と裏面の縁に接触するので、弾力性を有するものとほぼ同様の作用を期待することができる。
【００１２】
本発明に係る装置の一つの特徴は、車両を押し付けて前後に移動させても回転させることができないか或いは回転し難い動力車輪を清掃するために、動力車輪を通電状態として回転させるプラス（＋）、マイナス（−）の通電用接点部を、通電車輪の位置に合わせて上記本体に具備する点である。なお、通電車輪の位置とは、主として幅方向における位置（トレッド）を意味する。通電車輪を接触させて通電状態として回転させることにより、動力車輪の回転位置を変えることができ、この操作を複数回繰り返して動力車輪の全周を清掃することができる。本発明では、模型車両に給電するレールの代わりの作用を、通電用接点部によって得るものである。
【００１３】
通電車輪を通電用接点部に接触させ、通電により回転している他の動力車輪を擦り付け清掃部に接触させることができるように、擦り付け清掃部と通電用接点部の位置関係を設定することにより、外力によって回転させることができないか或いは困難な動力車輪を、自力回転させながら清掃することも可能になる（請求項４記載の発明）。擦り付け清掃部は、１両の車両のホイールベースよりも長い寸法を持つ清掃部を有していれば、１回の清掃によって車両１両の全ての車輪を清掃のために接触させることができる。上記のホイールベースよりも長い擦り付け清掃部に対して、通電用接点部は、レールと同じ幅に配置されるが、しかし接点板自体はレールよりも幅広い形態を有する方が使用し易い。そのような擦り付け清掃部の長手方向の端部に、接点板をその長手方向と一致した状態で配置することは、望ましい形態の一つである（請求項５記載の発明）。
【発明の効果】
【００１４】
本発明は以上のように構成されかつ作用するものであるから、鉄道模型用車両の車輪に付着している異物を、その車輪が空転する車輪であっても、また、回転させにくい動力車輪であっても、容易かつ確実に取り除くことができるという効果を奏する。また本発明によれば、外力では動かしにくい動力車輪の清掃を容易に行えるので、ウオームギヤのように減速比の大きい機構を有する車両の車輪を容易に清掃することができ、扱い易く確実な清掃効果を得ることができる。また本発明によれば、通電により回転している他の動力車輪を擦り付け清掃部に接触させることができる位置関係をもって、擦り付け清掃部と通電用接点部を上記本体に配置することが可能であるので、車両を持って一部の車輪を通電用接点部に当て、他の動力車輪を擦り付け清掃部に接触させる方法でも清掃可能である。
【発明を実施するための最良の形態】
【００１５】
以下図示の実施形態を参照しつつ本発明をより詳細に説明する。図１は、本発明に係る鉄道模型用車両の車輪の清掃装置１０を例示するものであり、１１は鉄道模型用の動力車である車両、１２はその動力車輪としての車輪であって、ウオームギヤのように外力では回転させにくい構造を持つ減速機構を介して駆動されている。１５は本装置の電源装置として使用可能なコントローラーであり、ＡＣアダプター１３及びボリュームスイッチ１４を有している。図示の場合、片側前６輪中前後４輪が動力車輪１２、中央の２輪が空転車輪１２′であり、動力車輪１２は車両に電力を取り入れる通電車輪でもある。
【００１６】
図示の清掃装置は、車両１１を押し付けて移動させることにより動力車輪１２を回転させ、上記車輪１２を全周に亘って清掃するために用意された、擦り付け清掃部１６を本体１７に具備している。本体１７は車輪１２、１２′を押し付けて清掃する外力に耐える強度を備えた箱型の構造体であり、車両１１の全長よりも十分に長い長さと車両の幅よりも十分に幅広い幅を有し、その上面１８が１両の車両１１のホイールベースよりも長い寸法を持つ清掃部を設ける場所になっている。
【００１７】
擦り付け清掃部１６は、本体１７の上面１８に、車両を１１押し付けて移動させることにより動力車輪１２を回転させ、全周に亘って清掃するように、設けられている。図示の擦り付け清掃部１６は、弾力性により、動力車輪１２の踏み面とフランジ部、それに表面と裏面の縁の汚れを一時に擦り取るために、スポンジ基材１９を、植毛状表面を有するシート状材２０によって覆った構造を有している。スポンジ基材１９は動力車輪１２のフランジの高さよりも大きい厚みを有していることが望まれる。
【００１８】
図示の例において、シート状材２０より覆われた擦り付け清掃部１６の長手方向左右には、この清掃部１６を囲むカバー２１の平行な側縁部２２、２２が位置している。カバー２１はプラスチックなどから成り、車輪１２、１２′を軽く接触させてショックを与え異物を落とす程度の機能を果たすが、擦り付け清掃部１６の長手方向前後には、清掃作業の妨げにならないように、側縁部を設けないものとする。
【００１９】
本体１７の長手方向における一端部はカバーの部分２１が一段低く形成され、そこに動力車輪１２を接触させて通電状態として回転させるために、プラス（＋）、マイナス（−）の一対の接点板２３、２４からなる通電用接点部２５を設けている（図３参照）。通電用接点部２５は、押し付けて移動させても回転させることができないか、或いは回転し難い動力車輪１２を清掃するために接触させ、通電状態として回転させるもので、その長さと幅は、通電車輪である動力車輪１２の位置に合わせて設けられている。
【００２０】
図示の通電用接点部２５は、鉄道模型用車両のレール規格と同じトレッドで一対の接点板２３、２４を平行に配置してなるものである。但し、個々の接点片自体は個々のレールよりも幅広い形態を有するものとする。そして通電用接点部２５は、擦り付け清掃部１６の長手方向の端部にその長手方向と一致した状態で配置されている。２６はコード巻きつけ部であり、本体下面の空所を利用して設けられ、コード２７の収納を可能にしているものである。
【００２１】
このような構成を有する本発明の装置を使用して、鉄道模型用車両の車輪１２を清掃するに当り、それが空転する車輪の清掃である場合には、その車輪を擦りつけ清掃部１６に押し当て、かつ前後に移動させるようにすると、車輪は擦りつけ清掃部１６に接して動かされることにより回転するので、その全周にわたって異物を落とすことができる。図５の場合、中央の車輪１２′は空転車輪であるので、このようにして清掃することができる。上記の過程において、洗浄液を擦りつけ清掃部１６に含浸させることも可能である。
【００２２】
一方、動力車輪１２を清掃する場合には、本装置１０を電源に接続して、通電用接点部２５に給電し、車両１１を手にして、通電車輪である動力車輪１２を一対の接点板２３、２４に同時に接触させる（図５参照）。この接触により、全ての動力車輪１２が回転するので、車輪の回転位置を変えることができ、この回転操作と、上記の前後移動による擦りつけ清掃を複数回繰り返して車輪の全周を清掃する。なお、回転している動力車輪１２を擦りつけ清掃部１６に押し当てるようにしても（図６矢印）、それに付着している異物を自動的に擦り落とせることになる。このように、擦りつけ清掃部１６に車両の車輪１２、１２′を押し付けて移動させることにより、あらゆる種類の車輪を清掃することができ、また、どのように清掃しているかを把握することも容易で、ただ前後に擦り付けるよりも確実な清掃が可能になる。
【図面の簡単な説明】
【００２３】
【図１】本発明に係る鉄道模型用車両の車輪の清掃装置の分解斜視図。
【図２】同上の装置の要部を示すための横断面図。
【図３】同じく本発明に係る装置の上面図。
【図４】同じく本発明に係る装置の下面図。
【図５】本発明装置の使用状態を示す断面図。
【図６】本発明装置の他の使用状態を示す断面図。
【符号の説明】
【００２４】
１０  鉄道模型用車両の車輪の清掃装置
１１  車両
１２  動力車輪
１２′  空転車輪
１３  ＡＣアダプター
１４  スイッチ
１５  コントローラー
１６  擦りつけ清掃部
１７  本体
１８  上面
１９  スポンジ基材
２０  シート状材
２１  カバー
２２  側縁部
２３、２４  接点板
２５  通電用接点部
２６  コード巻き付け部
２７  コード
【図１】
2008188179.tif 000003
【図２】
2008188179.tif 000004
【図３】
2008188179.tif 000005
【図４】
2008188179.tif 000006
【図５】
2008188179.tif 000007
【図６】
2008188179.tif 000008